(57)【要約】【課題】印刷装置に対して特定の方向からシートやタンクへアクセスすることができ、薄型化、小型化が実現される印刷装置を提供する。【解決手段】印刷装置１０は、筐体１４と、タンク７０と、印刷後のロール紙１１の一部が通過する通過口１３と、カッターユニット１８と、を具備する。カッターユニット１８は、左右方向９に移動可能なカッターキャリッジ８１と、カッターキャリッジ８１に搭載されたカッター８２と、を有する。カッターユニット１８及び通過口１３は、上下方向７において、タンク７０と同じ位置にある。タンク７０は、通過口１３から左右方向９の右方に離れて位置する。待機位置Ｈのカッターキャリッジ８１は、通過口１３から左右方向９の左方に離れて位置する。【選択図】図１
2020011393.tif 000002
【特許請求の範囲】
【請求項１】
筐体と、
上記筐体の内部空間に位置しており、印刷媒体を搬送方向に搬送する搬送手段と、
上記搬送手段よりも上記搬送方向の下流に位置しており、上記搬送手段が搬送する上記印刷媒体へ印刷流体を吐出する印刷ヘッドと、
少なくとも一部が上記筐体の内部空間に位置しており、上記筐体より上記搬送方向の下流からアクセス可能であって、上記印刷ヘッドに供給する上記印刷流体を貯留するタンクと、
上記筐体において上記搬送方向の下流へ向いて開口しており、上記印刷ヘッドから上記印刷流体が吐出された上記印刷媒体が通過する通過口と、
上記印刷ヘッドから上記印刷流体が吐出された上記印刷媒体を切断するカッターユニットと、を具備しており、
上記カッターユニットは、
上記搬送方向と交差する走査方向に移動可能なキャリッジと、
上記キャリッジに搭載されたカッターと、を有しており、
上記搬送方向及び上記走査方向と直交する直交方向において、上記通過口の少なくとも一部が上記タンクと同じ位置にあり、
上記直交方向において、上記カッターユニットの少なくとも一部が上記タンクと同じ位置にあり、
上記タンクは、上記通過口から上記走査方向の一方に離れて位置しており、
上記キャリッジは、待機状態において、上記通過口から上記走査方向の他方に離れて位置する印刷装置。
【請求項２】
上記カッターユニットは、上記筐体の内部空間に位置しており、
上記筐体は、上記キャリッジが上記待機状態において、上記カッターを外部へ露出する露出口と、当該露出口を開閉するカバーと、を有する請求項１に記載の印刷装置。
【請求項３】
上記筐体より上記搬送方向の上流に位置しており、ロール形状に巻かれた上記印刷媒体を上記走査方向を回転軸として収容する収容空間を有するホルダと、
上記走査方向に沿った軸周りに上記筐体に回動可能に連結されて第１位置と第２位置との移動するトレイと、を更に具備しており、
上記トレイの上記軸は、上記収容空間に収容された上記印刷媒体の上記回転軸より上記搬送方向の下流に位置しており、
上記第２位置は、上記第１位置より上記トレイが上記搬送方向の上流へ倒伏する位置であり、
上記第２位置の上記トレイは、上記直交方向から視て、上記収容空間と重複する請求項１又は２に記載の印刷装置。
【請求項４】
上記タンクは、上記搬送方向の下流から上流へ向かって視て、上記通過口の右方に位置しており、
上記待機状態のキャリッジは、上記搬送方向の下流から上流へ向かって視て、上記通過口の左方に位置する請求項１から３のいずれかに記載の印刷装置。
【請求項５】
上記筐体において、上記直交方向において上記通過口と少なくとも一部が同じ位置に、当該印刷装置に対する入力を受け付ける操作面を有する操作パネルが設けられており、
上記操作面は、上記搬送方向の下流を向いている請求項１から４のいずれかに記載の印刷装置。
【請求項６】
上記キャリッジは、上記操作パネルより上記搬送方向の下流に位置する請求項５に記載の印刷装置。
【請求項７】
上記印刷ヘッドは、上記タンクより上記搬送方向の上流に位置する請求項１から６のいずれかに記載の印刷装置。
【請求項８】
上記タンクは、上記搬送方向の下流へ向く注入口を有しており、当該注入口を通じて印刷流体が補充できるものである請求項１から７のいずれかに記載の印刷装置。
【請求項９】
上記タンクは、上記搬送方向の下流へ向かって上記筐体から取り外し可能なものである請求項１から７のいずれかに記載の印刷装置。
【発明の詳細な説明】
【技術分野】
【０００１】
本発明は、タンクに貯留された印刷流体が、印刷ヘッドにより印刷媒体へ吐出され、当該印刷媒体がカッターにより切断される印刷装置に関する。
【背景技術】
【０００２】
タンクに貯留された印刷流体が印刷ヘッドから印刷媒体へ吐出される印刷装置が知られている（特許文献１参照）。印刷媒体の一例として、搬送方向に連続する長尺なシートがある。当該シートは、印刷された後に、カッターにより、例えば複数の印刷単位を一体として切断される。シートは、例えば、ラベルと離型紙とから構成されている。例えば、ラベル毎に１つの印刷単位が印刷されており、切断されたシートから、各ラベルが離型紙から剥がされて商品などに貼られる。
【先行技術文献】
【特許文献】
【０００３】
【特許文献１】特許第６２９１８５４号公報
【発明の概要】
【発明が解決しようとする課題】
【０００４】
印刷後のシートは、例えば、印刷装置の前方へ排出されると取り出しやすい。また、タンクに印刷流体を充填したり、タンクを交換したりするときには、例えば、印刷装置の前方からタンクへアクセスできると操作性がよい。また、カッターを交換するときには、例えば、印刷装置の前方や上方からカッターへアクセスできるとメンテナンス性がよい。このように、印刷装置に対して特定の方向からシートやタンクへアクセスできると、使い勝手のよい印刷装置が実現される。
【０００５】
しかしながら、シートやタンクに特定の方向からアクセスできるように、印刷装置の特定の面にシートが通過する通過口及びタンクへのアクセス経路などを設けると、印刷装置の特定の面の面積が大きくなり、装置が大型化する。
【０００６】
本発明は、前述された事情に鑑みてなされたものであり、その目的は、印刷装置に対して特定の方向からシートやタンクへアクセスすることができ、薄型化、小型化が実現される印刷装置を提供することにある。
【課題を解決するための手段】
【０００７】
(1)  本発明に係る印刷装置は、筐体と、上記筐体の内部空間に位置しており、印刷媒体を搬送方向に搬送する搬送手段と、上記搬送手段よりも上記搬送方向の下流に位置しており、上記搬送手段が搬送する上記印刷媒体へ印刷流体を吐出する印刷ヘッドと、少なくとも一部が上記筐体の内部空間に位置しており、上記筐体より上記搬送方向の下流からアクセス可能であって、上記印刷ヘッドに供給する上記印刷流体を貯留するタンクと、上記筐体において上記搬送方向の下流へ向いて開口しており、上記印刷ヘッドから上記印刷流体が吐出された上記印刷媒体が通過する通過口と、上記印刷ヘッドから上記印刷流体が吐出された上記印刷媒体を切断するカッターユニットと、を具備する。上記カッターユニットは、上記搬送方向と交差する走査方向に移動可能なキャリッジと、上記キャリッジに搭載されたカッターと、を有する。上記搬送方向及び上記走査方向と直交する直交方向において、上記通過口の少なくとも一部が上記タンクと同じ位置にある。上記直交方向において、上記カッターユニットの少なくとも一部が上記タンクと同じ位置にある。上記タンクは、上記通過口から上記走査方向の一方に離れて位置する。上記キャリッジは、待機状態において、上記通過口から上記走査方向の他方に離れて位置する。
【０００８】
上記構成によれば、印刷装置の直交方向の寸法を抑えて薄型化を実現しつつ、走査方向の寸法を小さくして設置面積を抑制することができる。また、タンクや印刷後の印刷媒体に、筐体に対して搬送方向の下流からアクセスすることができる。
【０００９】
(2)  好ましくは、上記カッターユニットは、上記筐体の内部空間に位置しており、上記筐体は、上記キャリッジが上記待機状態において、上記カッターを外部へ露出する露出口と、当該露出口を開閉するカバーと、を有する。
【００１０】
カバーが開かれて露出口が露出されることによって、キャリッジに搭載されているカッターの交換ができる。
【００１１】
(3)  好ましくは、上記印刷装置は、上記筐体より上記搬送方向の上流に位置しており、ロール形状に巻かれた上記印刷媒体を上記走査方向を回転軸として収容する収容空間を有するホルダと、上記走査方向に沿った軸周りに上記筐体に回動可能に連結されて第１位置と第２位置との移動するトレイと、を更に具備しており、上記トレイの上記軸は、上記収容空間に収容された上記印刷媒体の上記回転軸より上記搬送方向の下流に位置しており、上記第２位置は、上記第１位置より上記トレイが上記搬送方向の上流へ倒伏する位置であり、上記第２位置の上記トレイは、上記直交方向から視て、上記収容空間と重複する。
【００１２】
直交方向から視て、第２位置のトレイがホルダの収容空間と重複することによって、印刷装置の搬送方向の寸法が抑制される。また、第１位置のトレイは、第２位置のトレイより倒伏していないので、トレイを第１位置とすることによって、収容空間へ印刷媒体が装填しやすくなる。
【００１３】
(4)  好ましくは、上記タンクは、上記搬送方向の下流から上流へ向かって視て、上記通過口の右方に位置しており、上記待機状態のキャリッジは、上記搬送方向の下流から上流へ向かって視て、上記通過口の左方に位置する。
【００１４】
カッターが交換される頻度より、タンクにアクセスされる頻度が高いので、タンクが通過口の右方に位置することにより、使い勝手がよい。
【００１５】
(5)  好ましくは、上記筐体において、上記直交方向において上記通過口と少なくとも一部が同じ位置に、当該印刷装置に対する入力を受け付ける操作面を有する操作パネルが設けられており、上記操作面は、上記搬送方向の下流を向いている。
【００１６】
操作パネルに搬送方向の下流からアクセスできるので、使い勝手がよい。
【００１７】
(6)  好ましくは、上記キャリッジは、上記操作パネルより上記搬送方向の下流に位置する。
【００１８】
露出口を通じてキャリッジへアクセスするときに、操作パネルが干渉しにくい。
【００１９】
(7)  好ましくは、上記印刷ヘッドは、上記タンクより上記搬送方向の上流に位置する。
【００２０】
(8)  好ましくは、上記タンクは、上記搬送方向の下流へ向く注入口を有しており、当該注入口を通じて印刷流体が補充できるものである。
【００２１】
(9)  好ましくは、上記タンクは、上記搬送方向の下流へ向かって上記筐体から取り外し可能なものである。
【発明の効果】
【００２２】
本発明によれば、印刷装置に対して特定の方向からシートやタンクへアクセスすることができ、且つ、印刷装置の薄型化、小型化が実現される。
【図面の簡単な説明】
【００２３】
【図１】図１は、印刷装置１０の前面１４Ａ側の斜視図である。
【図２】図２は、印刷装置１０の平面図である。
【図３】図３は、印刷装置１０の後面１４Ｂ側であって支持壁２２が取り外された状態の斜視図である。
【図４】図４は、ホルダ１５に収納されたロール紙１１が回転軸２３から一部引き抜かれた状態の印刷装置１０の後面１４Ｂ側の斜視図である。
【図５】図５は、印刷装置１０の内部構成を示す模式図である。
【図６】図６は、カッターユニット１８の構成を示す模式図である。
【発明を実施するための形態】
【００２４】
以下、本発明の実施形態に係る印刷装置１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、印刷装置１０が使用可能に設置された状態（図１の状態）を基準として上下方向７が定義され、通過口１３が設けられている側を手前側（前面）として前後方向８が定義され、印刷装置１０を手前側（前面）から視て左右方向９が定義される。
【００２５】
［印刷装置１０の全体構成］
図１に示されるように、印刷装置１０は、インクジェット記録方式でロール紙１１（図から図４参照：印刷媒体の一例）などに画像を記録する。筐体１４は、前面１４Ａに通過口１３が形成された概ね直方体形状である。
【００２６】
筐体１４の後方には、ロール紙１１を収容可能なホルダ１５が位置する。筐体１４の後面から上方へ向かって、トレイ２０が延びている。筐体１４の前面１４Ａには、操作パネル１７が位置する。操作パネル１７の下方において、筐体１４の一部が前方へ突出する凸部１６が位置する。凸部１６は、直方体形状であり、左右方向９を長手方向とする細長な形状である。凸部１６の内部空間にカッターユニット１８（図６参照）が位置する。
【００２７】
［ホルダ１５］
図２から図４に示されるように、ホルダ１５は、左右方向９に離れて位置する支持壁２１，２２と、支持壁２１，２２に渡って延びる回転軸２３と、支持壁２１，２２を連続する底板２５と、を有する。
【００２８】
支持壁２１，２２は、筐体１４の後面１４Ｂからそれぞれ後方へ向かって延びている。筐体１４の後面１４Ｂ及び支持壁２１，２２の下端に渡って底板２５が拡がっている。底板２５は、筐体１４の後面１４Ｂと支持壁２１，２２とを連続している。筐体１４の後面１４Ｂ、支持壁２１，２２、及び底板２５によって囲まれる空間が、収容空間２６である。収容空間２６には、ロール紙１１が収容される。
【００２９】
回転軸２３は、ロール紙１１の中心に沿って延びる空間に挿通される円柱形状の部材である。回転軸２３の両端は、それぞれ支持壁２１，２２に回転可能に支持される。ロール紙１１に回転軸２３が挿通されて、回転軸２３が左右方向９に沿って伸びた状態で支持壁２１，２２に支持される。これにより、ロール紙１１が、ホルダ１５の収容空間２６に収容される。ホルダ１５に収容されたロール紙１１は、筐体１５の後面１４Ｂに形成された開口２７（図５参照）から、筐体１４の内部空間へ進入する。
【００３０】
［トレイ２０］
印刷装置１０の後面側には、トレイ２０が設けられている。トレイ２０は、ホルダ１５とは別個に、矩形の複数枚の記録用紙を支持する。トレイ２０は、下端を回動基端とし、上端を回動先端として、筐体１４に回動可能に支持されている。図５に示されるように、トレイ２０の両側面の下端付近には、左右方向９の外方へそれぞれ突出する回動軸２０Ａが設けられており、回動軸２０Ａが、筐体１４の軸受けにそれぞれ嵌合されることによって、トレイ２０が軸線３０（図２参照）周りに回動可能となっている。図２に示されるように、軸線３０は、ホルダ１５の回動軸２３より前方に位置する。
【００３１】
トレイ２０は、図１に示される起立位置（第１位置の一例）と、図５に示される倒伏位置（第２位置の一例）との間で回動可能である。起立位置は、トレイ２０を使用しないときに、筐体１４の後方においてトレイ２０が占める前後方向８のスペースを小さくするための位置である。起立位置であるトレイ２０の後面は、筐体１４の後面１４Ａと略平行となっている。倒伏位置は、トレイ２０が筐体１４から後方へ向かって斜め上方へ傾斜した位置である。倒伏位置であるトレイ２０に支持された、例えば、単票の記録用紙（印刷媒体の一例）は、その表裏面が鉛直方向と交差する。
【００３２】
図１に示されるように、トレイ２０の前面には、一対のサイドガイド３２が設けられている。サイドガイド３２は、左右方向９に離れて位置している。サイドガイド３２は、トレイ２０の前面に支持された記録用紙の左右方向９の両端にそれぞれ当接することによって、左右方向９において記録用紙を位置決めする。また、トレイ２０は、内部空間に収容されており、引き出されることによって上端から延出する拡張トレイ２９が設けられている。拡張トレイ２９がトレイ２０の内部空間から引き出されることにより、トレイ２０の前面から上方に突出し、記録用紙を拡張トレイ２９が支持する。拡張トレイ２９がトレイ２０の内部空間に収容されることによって、トレイ２０の外形が小さくなる。
【００３３】
図５に示されるように、倒伏位置であるトレイ２０に支持された記録用紙は、開口３１を通じて、筐体１４の内部空間へ進入する。トレイ２０の位置は、ユーザの操作によって任意に選択可能である。倒伏位置のトレイ２０の上端側の一部分は、上下方向７に沿って視て、ホルダ１５の収容空間２６と重複している。
【００３４】
［操作パネル１７］
図１に示されるように、操作パネル１７は、筐体１４の前面１４Ａにおいて凸部１６の上方に位置する。操作パネル１７の前面が操作面１７Ａである。操作面１７Ａには、ディスプレイ３３、操作キー３４、電源ボタン３５などが位置する。操作面１７Ａは、概ね前方を向いているが、例えば、前方且つ上方を向いていても、操作パネル１７が筐体１４に対して回動可能であることにより、操作面１７Ａの向きが可変であってもよい。
【００３５】
［搬送経路６５］
図５に示されるように、筐体１４の内部空間に設けられた搬送経路６５は、後面１４Ｂに形成された開口２７から、凸部１６に形成された通過口１３へ向かって、概ね真っ直ぐに延びている。搬送経路６５は、上下方向７に離れている位置するガイド部材などによって区画されている。搬送経路６５を、ロール紙１１から延びる部分や記録用紙が通過する。なお、図５においては、第１搬送ローラ対５４より搬送向きの下流となる搬送経路６５が２点鎖線で示されている。
【００３６】
［バイパス経路６６］
図５に示されるように、筐体１４の内部空間に設けられたバイパス経路６６は、後面１４Ｂに形成された開口３１から前方かつ下方へ延びて、搬送経路６５の第１搬送ローラ対５４より後方の位置に連続する。バイパス経路６６は、上下方向７に離れている位置するガイド部材などによって区画されている。バイパス経路６６を、トレイ２０に支持された記録用紙が通過する。
【００３７】
［第１搬送ローラ対５４及び第２搬送ローラ対５５］
図５に示されるように、搬送経路６５における記録部２４よりも搬送向き（前後方向８の前向き）の上流側には、第１搬送ローラ対５４（搬送手段の一例）が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間にロール紙１１から延びた部分や記録用紙を挟持した状態において、第１搬送ローラ６０及び第２搬送ローラ６２が回転することによって、ロール紙１１や記録用紙を搬送する。
【００３８】
［記録部２４］
図５に示されるように、第１搬送ローラ対５４と第２搬送ローラ対５５との間において、記録部２４は、プラテン４２と対向して搬送経路５の上側に設けられている。記録部２４は、ヘッドキャリッジ４１と印刷ヘッド３９とを備えている。ヘッドキャリッジ４１は、プラテン４２の後側及び前側に設けられたキャリッジガイドレール４３，４４によって支持されている。キャリッジガイドレール４４には、公知のベルト機構が設けられている。ヘッドキャリッジ４１は、ベルト機構の無端ベルトと連結されており、無端ベルトの回動によってキャリッジガイドレール４３，４４に沿って左右方向９に移動する。
【００３９】
印刷ヘッド３９は、ヘッドキャリッジ４１に搭載されている。印刷ヘッド３９の下面には、複数のノズル（不図示）が形成されている。印刷ヘッド３９には、タンク７０からチューブ７１を通じてインク（印刷流体の一例）が供給される。印刷ヘッド３９は、複数のノズルからインクを微小なインク滴として選択的に吐出する。ヘッドキャリッジ４１が左右方向９へ移動しているときに、ノズルからプラテン４２に支持されているロール紙１１や記録用紙に対してインク滴が吐出される。吐出されたインク滴がプラテン４２上のロール紙１１や記録用紙に付着することにより、ロール紙１１の一部や記録用紙に画像や文字が記録される。
【００４０】
［タンク７０］
図５に示されるように、タンク７０は、筐体１４の内部空間に位置する。タンク７０は、インクを貯留する中空形状の容器である。タンク７０は、例えば、ブラック、イエロー、シアン、マゼンタの顔料インクをそれぞれ貯留する複数の貯留空間を有している。タンク７０の前面の上端付近には注入口７２が形成されている。注入口７２を通じてタンク７０の貯留空間へインクが補充可能である。注入口７２は、各貯留空間毎に設けられている。同図には示されていないが、注入口７２は、キャップにより封止されており、キャップが取り外されることによって注入口７２からインクが補充可能となる。タンク７０は、印刷ヘッド３９より前方、すなわち搬送方向の下流に位置する。
【００４１】
図１に示されるように、筐体１４の前面１４Ａにおける左右方向９の右方には、カバー７３が設けられている。カバー７３は、凸部１６より右方に位置する。カバー７３は、下端付近において左右方向９に沿った回動軸７３Ａ周りに回動可能である。すなわち、カバー７３は、筐体１４に回動可能に連結されている。図１に示されるように、閉位置のカバー７３は、筐体１４の前面１４Ａを構成する。カバー７３の後方にはタンク７０が位置する。すなわち、タンク７０は、通過口１３より右方に離れて位置する。
【００４２】
カバー７３が回動軸７３Ａ周りに回動されることによって、カバー７３の上端側が前方へ移動して、筐体１４の内部空間にあるタンク７０の少なくとも注入口７２付近が露出される。すなわち、カバー７３が開位置にあるときに、筐体１４の前方からタンク７０にアクセス可能となる。タンク７０にアクセス可能とは、筐体１４の外部から、注入口７２を封止するキャップを外したり、注入口７２を通じてタンク７０の貯留空間にインクを補充したりできることをいう。なお、タンク７０は、必ずしも全てが筐体１４の内部空間に位置しなくてもよい。また、カバー７３の回動軸７３Ａは上下方向７に沿っていてもよい。
【００４３】
［通過口１３］
図１に示されるように、通過口１３は、凸部１６の前面において、左右方向９を長手方向とする細長な開口である。通過口１３は、搬送経路６５の終端である。通過口１３から、印刷後のロール紙１１の一部や記録用紙が外部へ排出される。図５に示されるように、通過口１３は、上下方向７において、タンク７０と同じ位置にある。また、通過口１３は、上下方向７において、タンク７０の上端と下端との間の範囲Ｌに位置する。
【００４４】
［カッターユニット１８］
図１に示されるように、筐体１４の前面には前方へ突出する凸部１６が設けられている。凸部１６における通過口１３の左方には、露出口１２が形成されている。露出口１２は、前方及び上方へ向かって開口しており、露出口１２を通じて凸部１６の内部空間が外部に露出される。図１及び図２に示されるように、露出口１２は、カバー１９により閉じられている。カバー１９が回動などによって露出口１２を閉じている位置から移動されることによって、露出口１２が開放される。すなわち、カバー１９は、露出口１２を開閉する。
【００４５】
図６に示されるように、凸部１６の内部空間に、カッターユニット１８が位置する。カッターユニット１８は、印刷後に通過口１３を通過するロール紙１１の一部分を切断する。図５に示されるように、カッターユニット１８は、上下方向７において、タンク７０と同じ位置にある。また、カッターユニット１８は、上下方向７において、タンク７０の上端と下端との間の範囲Ｌに位置する。
【００４６】
図６に示されるように、カッターユニット１８は、左右方向９へ延びるガイドシャフト８０と、ガイドシャフト８０に沿って移動するカッターキャリッジ８１と、カッターキャリッジ８１に搭載されたカッター８２と、を有する。
【００４７】
ガイドシャフト８０は、通過口１３の左右方向９の両端よりも外方にまで延びる棒状の部材である。ガイドシャフト８０は、凸部１６の側壁などに支持されている。カッターキャリッジ８１は、ガイドシャフト８０に支持されている。なお、ガイドシャフト８０と平行に延びるカッターガイドレール（図示省略）が更に設けられており、ガイドシャフト８０及びカッターガイドレールがカッターキャリッジ８１を支持してもよい。
【００４８】
各図には示されていないが、ガイドシャフト８０に沿って公知のベルト機構が設けられている。カッターキャリッジ８１は、ベルト機構の無端ベルトと連結されており、無端ベルトの回動によってガイドシャフト８０に沿って左右方向９に移動する。つまり、左右方向９がカッターキャリッジ８１の走査方向である。カッターキャリッジ８１は、待機状態、すなわち印刷装置が印刷を行っていない状態では、図６に示されるように、ガイドシャフト８０の左方であって、露出口１２付近に位置する。この位置が待機位置Ｈである。待機位置Ｈは、通過口１３より左方（印刷装置１０を前方から見て左）に離れた位置である。
【００４９】
カッター８２は、カッターキャリッジ８１に搭載されている。カッター８２は、ロール紙１１などを切断可能な刃を有する。カッター８２の刃先は右方（印刷装置１０を前方から見て右）を向いている。カッターキャリッジ８１が待機位置Ｈから右方へ移動するときに、カッター８２の刃が、印刷後のロール紙１１の一部分に当接して、ロール紙１１の一部分が切断される。
【００５０】
カッター８２は、カッターキャリッジ８１とネジ留め（図示省略）などによって連結されている。ネジが取り外されると、カッター８２はカッターキャリッジ８１から取り外し可能となる。カッター８２は、露出口１２を通過可能な外形である。カッターキャリッジ８１が待機位置Ｈであるとき、露出口１２が開かれると、カッター８２は、カッターキャリッジ８１から取り外されて外部へ取り出されることが可能である。待機位置Ｈのカッターキャリッジ８１は、操作パネル１７より前方に位置するので、露出口１２を通じて、カッター８２は前方又は上方へ取り出されることが可能である。カッター８２が取り出されるための操作が可能であることが、カッター８２にアクセス可能と称される。
【００５１】
［実施形態の作用効果］
前述された実施形態に係る印刷装置１０によれば、通過口１３及びカッターユニット１８が、上下方向７においてタンク７０と同じ位置にあり、タンク７０は、通過口１３から左右方向９の右方に離れて位置しており、待機位置Ｈのカッターキャリッジ８１は、通過口１３から左右方向９の左方に離れて位置するので、印刷装置１０の上下方向７の寸法を抑えて薄型化を実現しつつ、左右方向９の寸法を小さくして、印刷装置１０の設置面積を抑制することができる。また、タンク７０や印刷後のロール紙１１の一部に、筐体１４に対して前方からアクセスすることができる。
【００５２】
また、カバー１９が開かれて凸部１６の露出口１２が露出されることによって、待機位置Ｈのカッターキャリッジ８１に搭載されているカッター８２の交換ができる。
【００５３】
また、上下方向７から視て、倒伏位置のトレイ２０がホルダ１５の収容空間２６と重複することによって、印刷装置１０の前後方向８の寸法が抑制される。また、起立位置のトレイ２０は、倒伏位置のトレイ２０より上下方向７に対して倒伏していないので、トレイ２０を起立位置とすることによって、収容空間２０へロール紙１１が装填しやすくなる。
【００５４】
また、カッター８２が交換される頻度より、タンク７０にインクを補充する頻度が高いので、タンク７０が通過口１３の右方（印刷装置１０を前方から見て右）に位置することにより、使い勝手がよい。
【００５５】
また、操作パネル１７の操作面１７Ａが前方を向いているので、ディスプレイ３３を視たり、操作キー３４や電源ボタン３５を印刷装置１０の前方から操作したりできるので、使い勝手がよい。
【００５６】
また、カッターキャリッジ８１が、操作パネル１７より前方に位置するので、露出口１２を通じてカッターキャリッジ８１へアクセスするときに、操作パネル１７がユーザの手などと干渉しにくい。
【００５７】
［変形例］
前述された実施形態では、タンク７０は、筐体１４の内部空間に固定されており、注入口７２を通じてタンク７０の貯留空間へインクが補充可能なものであるが、これに代えて、タンク７０は筐体１４に対して着脱可能なカートリッジタイプのものであり、カバー７３が開かれて、筐体１４から前方へ向かって取り外し可能なものであってもよい。
【００５８】
また、タンク７０は、ブラック、イエロー、シアン、マゼンタの４色のインクを貯留する複数の貯留空間を有しているが、これに代えて、ブラックのインクを貯留する単一の貯留空間のみを有するものであってもよい。
【００５９】
また、タンク７０は、ブラック、イエロー、シアン、マゼンタの顔料インクを貯留するが、これに代えて、ブラックの顔料インクと、イエロー、シアン、マゼンタの染料インクとを貯留してもよい。また、タンク７０は、ブラック、イエロー、シアン、マゼンタの染料インクを貯留してもよい。また、タンク７０が貯留するインクは、例えば、金属粒子が溶媒に分散された導電性のインクであってもよい。また、タンク７０が、ブラック、イエロー、シアン、マゼンタのインクを貯留する貯留空間と、導電性のインクを貯留する貯留空間と、を有していてもよい。
【００６０】
また、通過口１３及びカッターユニット１８は、上下方向７において、タンク７０の上端と下端との間から、一部分が上方又は下方にあってもよい。すなわち、通過口１３及びカッターユニット１８は、上下方向７において、タンク７０の間に一部が位置していればよい。また、タンク７０とカッターユニット１８の待機位置Ｈとは、通過口１３に対して左右方向９の位置が逆であってもよい。すなわち、タンク７０が通過口１３の左方に位置しており、待機位置Ｈが通過口１３の右方であってもよい。
【００６１】
また、カッターユニット１８は、凸部１６の内部空間に設けられていたが、これに限らない。例えば、カッターユニット１８は、筐体１４の内部空間に設けられていてもよい。カッターユニット１８が筐体１４の内部空間に設けられる場合、カッターユニット１８は、前後方向８において、印刷ヘッド３９の下流に位置する。
【００６２】
また、カッター８２は、前述された実施形態に代えて、前後方向８に沿った回転軸を有する円盤形状のものであってもよい。
【００６３】
また、通過口１３は、必ずしも筐体１４の前面１４Ａに形成されていなくてもよい。例えば、通過口１３が凸部１６の上面や筐体１４の上面に形成されて、通過口１３を通過する印刷済みのロール紙１１が、斜め上方や上方に排出されてもよい。
【００６４】
また、前述した印刷ヘッド３９は、キャリッジガイドレール４３，４４に支持されたヘッドキャリッジ４１が左右方向９へ移動しつつロール紙１１などにインクを吐出する、所謂シリアルヘッドであるが、印刷ヘッド３９は、ロール紙１１の左右方向９の寸法と同等以上の幅を有するものであり、左右方向９へ移動することなく、ロール紙１１などにインクを吐出するラインヘッドであってもよい。また、印刷ヘッド３９は、前後方向８において、タンク７０と重複する位置にあってもよい。
【００６５】
また、前述した印刷装置１０は、ロール紙１１と記録用紙とに印刷することが可能であるが、これに限らず、印刷装置１０は、ロール紙１１のみに印刷する装置であってもよいし、記録用紙のみに印刷する装置であってもよい。
【００６６】
また、前述された印刷装置１０は、筐体１４の前面１４Ａ及び後面１４Ｂが上下方向７及び左右方向９に沿った状態で使用されるが、印刷装置１０の使用姿勢はこれに限らない。
【符号の説明】
【００６７】
１０・・・印刷装置
１２・・・露出口
１３・・・通過口
１４・・・筐体
１５・・・ホルダ
１７・・・操作パネル
１７Ａ・・・操作面
１８・・・カッターユニット
１９・・・カバー
２０・・・トレイ
３９・・・印刷ヘッド
６０・・・第１搬送ローラ（搬送手段）
７０・・・タンク
７２・・・注入口
８１・・・キャリッジ
８２・・・カッター
【図１】
2020011393.tif 000003
【図２】
2020011393.tif 000004
【図３】
2020011393.tif 000005
【図４】
2020011393.tif 000006
【図５】
2020011393.tif 000007
【図６】
2020011393.tif 000008